(57)【要約】【課題】  溶接作業者溶接時に発生するヒュームを吸い込むことを防止することができる溶接用ヘルメットを提供する。【解決手段】ヘルメット本体２には、空気吹き出し装置５を設ける。この空気吹き出し装置５の管体５１を、ヘルメット本体２を巻回するように配置し、空気供給源から所定の圧力を有する空気を供給する。管体５１には、ヘルメット本体２の庇部２ｂに取り付けられた保護部材３の内面に向かって矢印で示すように空気を吹き出す空気吹き出し口（図示せず）を設ける。【選択図】図１
2010047874.tif 000002
【特許請求の範囲】
【請求項１】
帽子状のヘルメット本体と、このヘルメット本体の前部に設けられ、上記ヘルメット本体の前部から下方に垂れ下がる保護部材と、この保護部材に設けられた遮光ガラスとを備えた溶接用ヘルメットにおいて、
上記ヘルメット本体に空気供給源から空気が供給される管体が設けられ、この管体に上記保護部材の上記ヘルメット側を向く内面に向かって空気を吹き出す空気吹き出し口が設けられていることを特徴とする溶接用ヘルメット。
【請求項２】
上記ヘルメット本体の前部の下端部に前方へ突出する庇部が設けられ、上記保護部材が上記庇部から下方に垂れ下がり、上記ヘルメット本体の少なくとも一方の側部の下端部に上記管体が設けられ、上記吹き出し口から吹き出した空気が上記保護部材の上記一方の側部から左右方向の中央側に向かって流れるよう、上記吹き出し口から上記保護部材の上記庇部より下側に位置する上記一方の側部内面に向かって上記空気が吹き出されることを特徴とする請求項１に記載の溶接用ヘルメット。
【請求項３】
上記保護部材が上記庇部より上側に位置する上保護部を有し、上記管体が上記ヘルメット本体の左右両側部にそれぞれ設けられ、各管体が、上記庇部の上面に沿って上記ヘルメット本体の前部に設けられた連結管部によって互いに連結され、この連結管部には、上記上保護部に向かって空気を吹き出す副吹き出し口が設けられていることを特徴とする請求項２に記載の溶接用ヘルメット。
【請求項４】
上記連結管部が、上記ヘルメットの周方向に沿って伸縮することができるよう、コイル状に巻回されていることを特徴とする請求項３に記載の溶接用ヘルメット。
【請求項５】
上記管体には当該管体を上記ヘルメット本体の側部に着脱可能に取り付けるための取付部が設けられていることを特徴とする請求項３又は４に記載の溶接用ヘルメット。
【発明の詳細な説明】
【技術分野】
【０００１】
この発明は、アーク溶接等の各種の溶接作業時に用いられる溶接用ヘルメットに関する。
【背景技術】
【０００２】
一般に、溶接作業時には、溶接時に発生する火花が作業者の頭や顔に降り注ぐのを防ぐために、溶接用ヘルメットが用いられている。従来の溶接ヘルメットは、下記特許文献１に記載されているように、手持ち式のものであり、一方の手で支持される。したがって、溶接作業が他方の手で行われる。このような手持ち式のヘルメットでは、溶接作業に片方の手しか用いることができないため、作業能率が悪いという問題があった。
【０００３】
そこで、最近では、溶接作業者がその頭部に被る溶接用ヘルメットが多用されている。この溶接用ヘルメットは、帽子状のヘルメット本体と、このヘルメット本体の前部に設けられ、下端部がヘルメット本体から下方に垂れ下がる保護部材とを備えており、保護部材には溶接箇所を目視するための窓部が設けられ、この窓部には遮光ガラスが設けられている。このような溶接用ヘルメットによれば、ヘルメットを手で支持する必要がないので、溶接作業を両手で行うことができる。したがって、溶接作業の能率を向上させることができる。
【発明の開示】
【発明が解決しようとする課題】
【０００４】
しかしながら、上記従来の溶接用ヘルメットにおいては、保護部材と作業者の顔面との間に溶接時に発生するヒュームが侵入することを防止することができず、作業者がヒュームを吸い込んでしまうおそれがあった。また、遮光ガラスが作業者の汗で曇ってしまうという問題があった。
【課題を解決するための手段】
【０００５】
この発明は、上記の問題を解決するために、帽子状のヘルメット本体と、このヘルメット本体の前部に設けられ、上記ヘルメット本体の前部から下方に垂れ下がる保護部材と、この保護部材に設けられた遮光ガラスとを備えた溶接用ヘルメットにおいて、上記ヘルメット本体に空気供給源から空気が供給される管体が設けられ、この管体に上記保護部材の上記ヘルメット側を向く内面に向かって空気を吹き出す空気吹き出し口が設けられていることを特徴としている。
この場合、上記ヘルメット本体の前部の下端部に前方へ突出する庇部が設けられ、上記保護部材が上記庇部から下方に垂れ下がり、上記ヘルメット本体の少なくとも一方の側部の下端部に上記管体が設けられ、上記吹き出し口から吹き出した空気が上記保護部材の上記一方の側部から左右方向の中央側に向かって流れるよう、上記吹き出し口から上記保護部材の上記庇部より下側に位置する上記一方の側部内面に向かって上記空気が吹き出されることが望ましい。
上記保護部材が上記庇部より上側に位置する上保護部を有し、上記管体が上記ヘルメット本体の左右両側部にそれぞれ設けられ、各管体が、上記庇部の上面に沿って上記ヘルメット本体の前部に設けられた連結管部によって互いに連結され、この連結管部には、上記上保護部に向かって空気を吹き出す副吹き出し口が設けられていることが望ましい。
上記連結管部が、上記ヘルメットの周方向に沿って伸縮することができるよう、コイル状に巻回されていることが望ましい。
上記管体には当該管体を上記ヘルメット本体の側部に着脱可能に取り付けるための取付部が設けられていることが望ましい。
【発明の効果】
【０００６】
上記特徴構成を有するこの発明によれば、吹き出し口から保護部材の内面に向かって吹き出された空気は、当該内面に沿って移動して保護部材から外部に流れ出る。この結果、吹き出し口から吹き出された空気が一種のエアカーテンとして作用し、保護部材と作業者の顔面との間にヒュームが入り込むことを防止する。しかも、保護部材と作業者の顔面との間にヒュームが入ったとしても、そのヒュームが吹き出し口から吹き出された空気によって外部に排出される。したがって、作業者がヒュームを吸い込むことを防止することができる。また、吹き出し口から吹き出された空気は、保護部材の内面に沿って移動して遮光ガラスに達する。そして、遮光ガラスの曇りを解消する。
【発明を実施するための最良の形態】
【０００７】
以下、この発明を実施するための最良の形態を、図面を参照して説明する。
図１及び図２は、この発明の一実施の形態を示す。この実施の形態の溶接用ヘルメット１は、溶接作業者Ｍの頭部を保護するヘルメット本体２を有している。ヘルメット本体２は、本体部２ａを有している。本体部２ａは、溶接作業者Ｍが頭部Ｍａに被るものであり、この実施の形態では中空の略半球状をなしている。本体部２ａは、前後方向（図１において左右方向）に長い長円状であってもよく、その形状は溶接作業者Ｍの頭部Ｍａに合わせて決定される。本体部２ａの下端部の前部には、本体部２ａから前方に向かって突出する庇部２ｂが形成されている。庇部２ｂは、本体部２ａの左右両側部の前後方向における中央部より若干前方側の部位から前部にわたって形成されており、本体部２ａからの突出量は、両側部から前部中央に向かって大きくなり、庇部２ｂの左右方向の中央部において最も大きくなっている。ヘルメット本体２は、本体部に２ａに設けられたベルト２ｃによって作業者Ｍの頭部Ｍａに脱落不能に取り付けられる。
【０００８】
ヘルメット本体２の前部には、保護部材３が設けられている。保護部材３は、溶接時に発生する火花が作業者Ｍの顔面に飛散することを防止するためのものであり、適宜の柔軟性と強度を有する比較的厚さの厚い膜状のものによって構成されている。この実施の形態では、保護部材３が、皮革によって構成されている。保護部材３の上部の左右両端部には、取付バンド４の両端部が取り付けられている。取付バンド４は、ゴム等の弾性を有する材質からなるものであり、帯状に形成されている。そして、取付バンド４の弾性力により、保護部材３が庇部２ｂの前面に押圧状態で取り付けられている。この場合、保護部材３は、その上部（上保護部）３ａが庇部２ｂより上側に位置するように取り付けられているが、保護部材３の上端面が庇部２ｂの上面と上下方向において同一位置に位置するように取り付けてもよい。また、ヘルメット本体２に庇部２ｂが形成されない場合には、保護部材３が本体部２ａの前面部に直接押圧して取り付けられる。
【０００９】
保護部材３の中央部、つまり作業者Ｍの両目の前方に位置する部分には、作業者Ｍの前方の視界を確保するための穴（図示せず）が形成されている。この穴を囲むようにして、保護部材３の前面には、窓枠６が固定されている。この窓枠６は、例えば金属からなるものであり、その内部には遮光ガラス（図示せず）が嵌め込まれている。遮光ガラスは、周知のように、溶接時に発生する強力な光から作業者Ｍの目を保護するためのものであり、溶接時の光の一部を透過させる。
【００１０】
ヘルメット本体２には、空気吹き出し装置５が設けられている。空気吹き出し装置５は、管体５１を有している。管体５１は、適度の強度と若干の柔軟性を有する材質、例えば硬質ゴム製の管材、比較的軟質のプラスチック製の管材、あるいは薄い金属製の管材によって構成されている。管体５１は、本体部２ａの下端部を囲むように環状に巻回されている。管体５１の左右の両側部には、取付部材（取付部）５２が設けられている。この取付部材５２は、本体部２ａの左右両側部の下端部に着脱可能に取り付けられている。これにより、管体５１が本体部２ａの左右両側部に着脱可能に取り付けられている。管体５１の両端部は、本体部２ａの後方において供給管５３に継手５４を介して接続されている。
【００１１】
供給管５３は、柔軟性を有する管材からなるものであり、圧力調整弁Ｖ１、減圧弁Ｖ２、フィルタＦ及び継手Ｔを介して空気供給源（図示せず）に着脱可能に接続されている。空気供給源から供給される高圧の空気は、まずフィルタＦによって塵埃が取り除かれる。そして、減圧弁Ｖ２によって減圧された後、圧力調整弁Ｖ１によって所定の圧力に調整される。したがって、管体５１には、所望の圧力に調整された清浄な空気が供給される。なお、圧力調整弁Ｖ１、減圧弁Ｖ２及びフィルタは、装着部材（図示せず）に取り付けられており、装着部材は、作業者Ｍの腰バンドＭｂに着脱可能に取り付けられる。
【００１２】
管体５１の庇部２ｂの上に位置する部分には、当該部分をコイル状に巻回することにより、本体部２の前部に沿って左右方向に延びるコイル部（連結管部）５１ａが形成されている。このコイル部５１ａが弾性的に伸縮することにより、管体５１の取付部材５２より前側に位置する部分が左右方向へ伸縮可能になっている。したがって、空気吹き出し装置５が大きな本体部２ａに取り付けられる場合にはコイル部５１ａ延び、空気吹き出し装置５が小さな本体部２ａに取り付けられる場合には縮む。このように、コイル部５１ａが伸縮することにより、空気吹き出し装置５は寸法が異なる各種の本体部２ａに対して取り付けることができる。
【００１３】
管体５１には、図示しない第１空気吹き出し口（空気吹き出し口）が設けられている。この第１空気吹き出し口は、管体５１に供給された空気を吹き出して、保護部材３の庇部２ｂより下側に位置する部分のうちの左右両側部に空気を吹き付けるためのものであり、管体５１の左右両側部、つまり取付部材５２より前方に位置し、かつ保護部材３の左右両側部と対向する管体５１の左右両側部にそれぞれ設けられている。第１空気吹き出し口は、管体５１の左右両側部にそれぞれ複数宛設けられているが、一つだけ設けてもよく、いずれか一方の側部にのみ設けてもよい。第１空気吹き出し口は、管体５１を構成する管壁のうちの保護部材３と対向する部分を貫通する孔として形成されている。この孔にノズルを設け、このノズルを第１空気吹き出し口としてもよい。
【００１４】
第１空気吹き出し口から吹き出された空気は、図２に示すように、保護部材３の側部内面（作業者Ｍ側の面）に吹き付けられる。保護部材３左右両側部に吹き付けられた空気は、保護部材３の中央部に向かって移動し、遮光ガラスの内面に達する。その後、左右両側部から吹き出された空気は、互いに衝突する。衝突した空気の一部は、作業者Ｍの顔面に向かう。他の一部は、下方へ向かって流れ、保護部材３の左右方向の中央部の下端部から外部に吹き出す。また、図１に示すように、各第１吹き出し口から吹き出される空気は、斜め下方に向かうので、第１吹き出し口から吹き出された空気の一部は、保護部材３の中央より左右に離れた箇所から下方へ吹き出す。
【００１５】
コイル部５１ａには、図示しない第２空気吹き出し口（副吹き出し口）が設けられている。この第２空気吹き出し口は、保護部材３の庇部２ｂより上側に位置する上部３ａに空気を吹き付けるためのものであり、コイル部５１ａを構成する管壁のうちの保護部材３の内面と対向する箇所に形成されている。この実施の形態では、コイル部５１ａの各一周のうち、保護部材３に最も近接した部分に第２空気吹き出し口がそれぞれ形成されている。勿論、一周のうちに複数の第２空気吹き出し口を形成してもよい。第２空気吹き出し口は、保護部材３と対向する管壁を前方に向かって貫通する孔として形成されているが、第１空気吹き出し口と同様に、当該孔にノズルを設け、このノズルを第２空気吹き出し口としてもよい。
【００１６】
第２空気吹き出し口から吹き出された空気は、保護部材３の上部３ａの内面に吹き付けられる。上部３ａの内面に吹き付けられた空気の一部は、上方へ向かい、保護部材３の上端から上方へ吹き出す。他の一部は、保護部材３の周方向に沿って流れ、保護部材３の左右両側部から外部に吹き出す。
【００１７】
上記構成の溶接用ヘルメットを使用する場合には、予めヘルメット本体２に空気吹き出し装置５を取り付けておき、ヘルメット本体２を頭部に着用する。次に、保護部材３をヘルメット本体２に取り付ける。勿論、ヘルメット本体２を頭部に着用する前に保護部材３をヘルメット本体２に予め取り付けておいてもよい。次に、継手Ｔを接続状態にし、管体５１に空気供給源から空気を供給する。その後、溶接作業を行う。
【００１８】
溶接作業中には火花が発生するが、作業者Ｍの顔面に向かって飛散する火花は、保護部材３に突き当たって落ちる。したがって、作業者Ｍの顔面に火花が突き当たることを防止することができる。また、溶接作業中に発生するヒュームが、保護部材３の上下両端から保護部材３と作業者Ｍの顔面との間に入り込もうとするが、第１空気吹き出し口から吹き出す空気が、保護部材３の下端部から下方へ吹き出す結果、その空気が一種のエアカーテンとして機能する。したがって、ヒュームが保護部材３の下側から保護部材３と作業者Ｍの顔面との間に入り込むことを防止する。また、第２空気吹き出し口から吹き出す空気が、保護部材３の上端部から上方へ吹き出す結果、その空気が一種のエアカーテンとして機能する。したがって、ヒュームが保護部材３の上側から保護部材３と作業者Ｍの顔面との間に入り込むことを防止する。仮に、ヒュームが保護部材３と作業者Ｍの顔面との間に入り込んだとしても、そのヒュームは第１空気吹き出し口から吹き出した空気と一緒に保護部材３から下方へ排出される。したがって、作業者Ｍがヒュームを吸い込むことを防止することができる。
【００１９】
また、第１空気吹き出し口から吹き出した空気は、遮光ガラスに達するので、遮光ガラスが作業者Ｍの顔面から出た汗によって曇ることを防止することができる。しかも、第１空気吹き出し口から吹き出した空気の一部は、保護部材３に突き当たった後、作業者Ｍの顔面に向かうので、その空気によって作業者Ｍの冷房効果が得られる。
【００２０】
なお、この発明は、上記の実施の形態に限定されるものでなく、その要旨を逸脱しない範囲において適宜変更可能である。
例えば、上記の実施の形態においては、管体５１の前側の部分にコイル部５１ａが形成されているが、コイル部５１ａは必ずしも形成する必要がない。コイル部５１ａに代えて本体部３ａに沿って円弧状に延びる部分を形成してもよい。また、管体５１は、環状に形成しているが、管体５１を左右に二分し、それぞれの管体５１は、本体部３ａの左右両側部にそれぞれ着脱可能に取り付けてもよい。その場合には、各管体５１の前端開口部が閉じられる。あるいは、各管体５１の前端開口部を第１空気吹き出し口（空気吹き出し口）としてもよい。また、本体部３ａの左右両側部に管体５１を取り付けることなく、本体部３ａのいずれか一方の側部にのみ管体５１を取り付けてもよい。
【図面の簡単な説明】
【００２１】
【図１】この発明に係る溶接用ヘルメット一実施の形態を示す側面図である。
【図２】同実施の形態の平面図である。
【符号の説明】
【００２２】
１  溶接用ヘルメット
２  ヘルメット本体
２ｂ  庇部
３  保護部材
３ａ  上部（上保護部）
５  空気吹き出し装置
５１  管体
５１ａ  コイル部（連結管部）
５２  取付部材（取付部）
【図１】
2010047874.tif 000003
【図２】
2010047874.tif 000004